(57)【要約】【課題】第１電源が何らの原因で規定値以下の電圧しか出力できない状態となっても、第２電源では電圧の異常上昇が生じないようにする。【解決手段】電源制御信号が高レベルであるときは、スイッチＳ１は閉路動作を行う。第１電源が規定値の電圧を出力するときは、異常検出コンパレータ１０５は出力を高レベルにする。スイッチＳ２は閉路動作、スイッチＳ３は開路動作を行う。レギュレータ回路では、抵抗素子Ｒ１，Ｒ２の分圧回路で得られる電圧が監視電圧となる。第１電源が規定値以下の電圧しか出力できない状態になり、その電圧が異常判定電源１０６の電圧以下であると、異常検出コンパレータ１０５が出力を低レベルにする。スイッチＳ２が開路動作、スイッチＳ３が閉路動作を行う。レギュレータ回路に与えられる監視電圧は、抵抗素子Ｒ３，Ｒ４の分圧回路で得られる電圧に切り替えられ、第２電源の電圧上昇が抑制される。【選択図】      図２
2004152112.tif 000002
【特許請求の範囲】
【請求項１】
電源からの電圧を制御して第１電源および第２電源として電圧を各々出力可能なものであって、
電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、
前記第１電源の出力状態を監視する監視手段と、
前記監視手段の監視結果に基づいて前記レギュレータ手段に与える監視電圧を前記第１電源の電圧から前記第２電源の電圧に切り替える切替手段と、
を備えたことを特徴とする電源装置。
【請求項２】
前記監視手段は、前記第１電源の電圧が規定値以下の電圧であることを検出する電圧検出手段であって、
前記切替手段は、前記電圧検出手段により前記規定値以下の電圧が検出された場合に、前記監視電圧を前記第１電源の電圧から前記第２電源の電圧に切り替えることを特徴とする請求項１に記載の電源装置。
【請求項３】
前記監視手段は、前記第１電源を流れる規定値を超える負荷電流を検出する電流検出手段であって、
前記切替手段は、前記電流検出手段により前記規定値を超える負荷電流が検出された場合に、前記監視電圧を前記第１電源の電圧から前記第２電源の電圧に切り替えることを特徴とする請求項１に記載の電源装置。
【請求項４】
前記監視手段は、前記第１電源の電圧と前記第２電源電圧との差電圧が規定値を超えることを検出する差電圧検出手段であって、
前記切替手段は、前記差電圧検出手段により前記規定値を超える差電圧が検出された場合に、前記監視電圧を前記第１電源の電圧から前記第２電源の電圧に切り替えることを特徴とする請求項１に記載の電源装置。
【請求項５】
電源からの電圧を制御して第１電源および第２電源として電圧を各々出力可能なものであって、
電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、
前記第２電源の電圧が規定値以上の電圧であることを検出する電圧検出手段と、
前記電圧検出手段の検出信号を受けて前記レギュレータ手段に与える監視電圧を前記第１電源の電圧から前記第２電源の電圧に切り替える切替手段と、
を備えたことを特徴とする電源装置。
【請求項６】
前記監視電圧を前記第１電源の電圧から前記第２電源の電圧に切り替える状態を切替開始時から所定時間保持する手段を、さらに備えたことを特徴とする請求項１〜５のいずれか一つに記載の電源装置。
【請求項７】
前記監視電圧を前記第１電源の電圧から前記第２電源の電圧に切り替える動作にヒステリシス特性を付与する手段を、さらに備えたことを特徴とする請求項１〜５のいずれか一つに記載の電源装置。
【請求項８】
電源からの電圧を制御して第１電源および第２電源として電圧を各々出力可能なものであって、
電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、
規定値を超えて上昇する前記第２電源の電圧を当該第２電源に接続される負荷の耐圧以下にクランプするクランプ手段を備えたことを特徴とする電源装置。
【請求項９】
前記クランプ手段は、前記第２電源の電圧が規定値を超えて上昇するとき、当該第２電源と前記第１電源の電圧を生成する抵抗分圧回路との間に前記第１電源の電圧を上昇させる電流を供給する電流路を形成することで、前記第２電源の電圧を所定値にクランプする電流路形成手段を備えたことを特徴とする請求項８に記載の電源装置。
【請求項１０】
前記クランプ手段は、前記電流路形成手段の動作によって実現される前記第２電源の電圧が前記基準電圧と前記抵抗分圧回路の抵抗値とによって決定されるように前記電流路形成手段を制御する制御手段を、さらに備えたことを特徴とする請求項９に記載の電源装置。
【請求項１１】
規定値を超えて上昇する前記第２電源の電圧を当該第２電源に接続される負荷回路の耐圧以下にクランプするクランプ手段を、さらに備えたことを特徴とする請求項１に記載の電源装置。
【発明の詳細な説明】
【０００１】
【発明の属する技術分野】
この発明は、電源装置に係り、特に同じ値の電圧を出力する２つの電源出力を持つ電源装置に関する。
【０００２】
【従来の技術】
ある制御動作の過程で得られたデータを履歴データとして取得し、電源スイッチをＯＦＦし、その後、電源スイッチをＯＮして再開する制御動作に前回取得した履歴データを反映させることを行うような電子制御機器では、履歴データを保存するメモリに半導体メモリを用いる場合、制御動作を実現する機能回路用の第１電源と半導体メモリ用の第２電源とを備え、電源スイッチＯＮ時の制御動作過程では第１電源と第２電源から同じ値の電圧を出力し、電源スイッチＯＦＦ時では第２電源のみから電圧を出力するような２つの電源出力を持つ電源装置が用いられることがある。
【０００３】
この種の２つの電源出力を持つ電源装置としては、従来、例えば特開２０００−１９４４３０号公報（電源回路）に開示されたものが知られている。以下、図１１を参照して、その概要を説明する。なお、図１１は、従来の２つの電源出力を持つ電源装置の構成例を示す回路図である。
【０００４】
図１１において、直流電源（例えば電池）１００１の正極端は、ＰＮＰトランジスタ１００２のエミッタ電極に接続され、ＰＮＰトランジスタ１００２のコレクタ電極は、トランジスタからなるスイッチＳ１の一端（入力端）と出力端子ＶＯＵＴ１（以下「第２電源」という）とに接続されている。スイッチＳ１の他端（出力端）は、出力端子ＶＯＵＴ２（以下「第１電源」という）に接続されている。
【０００５】
スイッチＳ１の出力端と第１電源との接続ラインとグランドとの間には、抵抗素子Ｒ１，Ｒ２の直列回路からなる分圧回路が設けられ、抵抗素子Ｒ１，Ｒ２の接続端は、トランジスタからなるスイッチＳ２を介してエラーアンプ１００３の正相入力端（＋）に接続されている。
【０００６】
また、ＰＮＰトランジスタ１００２のコレクタ電極とスイッチＳ１の入力端との接続ラインとグランドとの間には、抵抗素子Ｒ３，Ｒ４の直列回路からなる分圧回路が設けられ、抵抗素子Ｒ３，Ｒ４の接続端は、トランジスタからなるスイッチＳ３を介してエラーアンプ１００３の正相入力端（＋）に接続されている。
【０００７】
エラーアンプ１００３の逆相入力端（＋）には、基準電源１００４が接続され、エラーアンプ１００３の出力端は、ＰＮＰトランジスタ１００２のベース電極に接続されている。すなわち、ＰＮＰトランジスタ１００２とエラーアンプ１００３は、全体としてレギュレータ回路を構成している。
【０００８】
外部から入力される電源制御信号は、スイッチＳ１，Ｓ２の制御端に直接印加され、インバータ１００５を介してスイッチＳ３の制御端に印加される。この電源制御信号は、当該電源装置を用いる電子制御機器の電源スイッチが投入・遮断されることによって発生する２値のレベル信号である。
【０００９】
なお、ＰＮＰトランジスタ１００２のコレクタ電極とスイッチＳ１の入力端との接続ラインとグランドとの間には、平滑用の容量素子Ｃ１が設けられている。また、スイッチＳ１の出力端と第１電源との接続ラインとグランドとの間には、平滑用の容量素子Ｃ２が設けられている。
【００１０】
以上の構成において、電源制御信号が、電子制御機器の電源スイッチが投入されている状態を示す一方のレベルであるときは、スイッチＳ１，Ｓ２が共に閉路動作（ＯＮ動作）を行い、スイッチＳ３は開路動作（ＯＦＦ動作）を行う。したがって、エラーアンプ１００３では、抵抗素子Ｒ１，Ｒ２の直列回路からなる分圧回路で得られる電圧（監視電圧）と基準電源１００４の電圧との大小比較に基づく誤差信号をＰＮＰトランジスタ１００２に与える。これによって、直流電源１００１の出力電圧から安定化された所定値（例えば５Ｖ）の電圧が生成され、第２電源と第１電源の双方から出力される。
【００１１】
一方、電源制御信号が、電子制御機器の電源スイッチが遮断されている状態を示す他方のレベルであるときは、スイッチＳ１，Ｓ２が共に開路動作（ＯＦＦ動作）を行い、スイッチＳ３は閉路動作（ＯＮ動作）を行う。したがって、エラーアンプ１００３では、抵抗素子Ｒ３，Ｒ４の直列回路からなる分圧回路で得られる電圧（監視電圧）と基準電源１００４の電圧との大小比較に基づく誤差信号をＰＮＰトランジスタ１００２に与える。これによって、直流電源１００１の出力電圧から安定化された所定値（例えば５Ｖ）の電圧が生成され、第２電源のみから出力される。
【００１２】
【特許文献１】
特開２０００−１９４４３０号公報
【００１３】
【発明が解決しようとする課題】
ところで、図１１に示した電源装置では、第１電源が何らの原因で規定値以下の電圧しか出力できない状態が継続すると、スイッチＳ１の入力端の電圧、つまり第２電源の電圧が異常に上昇することが起こる。これは、例えば、第１電源に接続される負荷回路が過負荷状態になる、あるいはその負荷回路において短絡等の事故が発生して第１電源が地絡状態になる等の場合に生ずる。
【００１４】
図１２は、第１電源が地絡状態になった場合の動作を示すタイムチャートである。図１２において、（２）に示すように、第１電源は、地絡状態にあり、０Ｖに固定された状態になっているとする。
【００１５】
電源制御信号（３）は、当初は、電子制御機器の電源スイッチが遮断状態（ＯＦＦ状態）にあることを示す低レベルである。この状態では、スイッチＳ１が開路動作をしているので、第１電源の地絡状態に影響されることなく、（１）に示すようにスイッチＳ１の入力端に接続される第２電源のみから５Ｖの電圧が出力される。
【００１６】
次いで、電源制御信号（３）は、電子制御機器の電源スイッチが投入状態（ＯＮ状態）にあることを示す高レベルを電源スイッチがＯＮ状態である期間内継続する。これによって、スイッチＳ１が閉路動作を行い、レギュレータ回路は、スイッチＳ１の出力端に接続される第１電源の電圧を監視して電圧制御を行うが、第１電源の電圧は、０Ｖである（２）。したがって、レギュレータ回路は、第１電源の電圧が規定値の５ＶになるようにスイッチＳ１の入力端の電圧を上昇させる動作を行う。
【００１７】
その結果、（１）に示すように、第２電源の電圧が、直流電源１００１の電圧まで上昇し、その状態が電子制御機器の電源スイッチがＯＮ状態である期間内継続することが起こる。
【００１８】
第２電源には、通常、半導体メモリなどの低耐圧の負荷回路が接続されるので、上記のような異常電圧が発生し継続すると、第２電源に接続される負荷回路が破壊されるおそれがある。
【００１９】
この発明は、上記に鑑みてなされたもので、第１電源が何らの原因で規定値以下の電圧しか出力できない状態となっても、第２電源では電圧の異常上昇が生じないようにできる手段を備えた電源装置を得ることを目的とする。
【００２０】
【課題を解決するための手段】
上記の目的を達成するために、この発明にかかる電源装置は、電源からの電圧を制御して第１電源および第２電源として電圧を各々出力可能なものであって、電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、前記第１電源の出力状態を監視する監視手段と、前記監視手段の監視結果に基づいて前記レギュレータ手段に与える監視電圧を前記第１電源の電圧から前記第２電源の電圧に切り替える切替手段と、を備えたことを特徴とする。
【００２１】
この発明によれば、第１電源の出力状態を監視し、この監視手段の監視結果に基づいて、第１電源が何らの原因で規定値以下の電圧しか出力できない状態となっている場合には、レギュレータ手段に与える監視電圧を第１電源の電圧から第２電源の電圧に切り替える。その結果、第２電源の電圧上昇が抑制され、接続される負荷回路の破壊を防止できる。
【００２２】
つぎの発明にかかる電源装置は、上記の発明において、前記監視手段は、前記第１電源の電圧が規定値以下の電圧であることを検出する電圧検出手段であって、前記切替手段は、前記電圧検出手段により前記規定値以下の電圧が検出された場合に、前記監視電圧を前記第１電源の電圧から前記第２電源の電圧に切り替えることを特徴とする。
【００２３】
この発明によれば、上記の発明において、第１電源の電圧が規定値以下の電圧であることを検出すると、監視電圧を第１電源の電圧から第２電源の電圧に切り替える。その結果、第１電源で電圧の異常低下があっても、第２電源の電圧は異常上昇することなく規定値の電圧を出力するので、第２電源に接続される負荷回路の破壊を未然に防止できる。
【００２４】
つぎの発明にかかる電源装置は、上記の発明において、前記監視手段は、前記第１電源を流れる規定値を超える負荷電流を検出する電流検出手段であって、前記切替手段は、前記電流検出手段により前記規定値を超える負荷電流が検出された場合に、前記監視電圧を前記第１電源の電圧から前記第２電源の電圧に切り替えることを特徴とする。
【００２５】
この発明によれば、上記の発明において、第１電源を流れる規定値を超える負荷電流を検出すると、監視電圧を第１電源の電圧から第２電源の電圧に切り替える。その結果、第２電源に接続される負荷回路の破壊を未然に防止できる。さらに、異常を検出する電流値を細かく設定できるので、異常判断の確実性を向上させることができる。
【００２６】
つぎの発明にかかる電源装置は、上記の発明において、前記監視手段は、前記第１電源の電圧と前記第２電源電圧との差電圧が規定値を超えることを検出する差電圧検出手段であって、前記切替手段は、前記差電圧検出手段により前記規定値を超える差電圧が検出された場合に、前記監視電圧を前記第１電源の電圧から前記第２電源の電圧に切り替えることを特徴とする。
【００２７】
この発明によれば、上記の発明において、第１電源の電圧と第２電源電圧との差電圧が規定値を超えることを検出すると、監視電圧を第１電源の電圧から第２電源の電圧に切り替える。その結果、第２電源に接続される負荷回路の破壊が未然に防止できる。さらに、第２電源からの差電圧をモニタして負荷の異常を判断するので、異常判定レベルを第２電源の精度と無関係にすることができる。
【００２８】
つぎの発明にかかる電源装置は、電源からの電圧を制御して第１電源および第２電源として電圧を各々出力可能なものであって、電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、前記第２電源の電圧が規定値以上の電圧であることを検出する電圧検出手段と、前記電圧検出手段の検出信号を受けて前記レギュレータ手段に与える監視電圧を前記第１電源の電圧から前記第２電源の電圧に切り替える切替手段と、を備えたことを特徴とする。
【００２９】
この発明によれば、第２電源の電圧が規定値以上の電圧であることを検出すると、レギュレータ手段に与える監視電圧を第１電源の電圧から第２電源の電圧に切り替える。その結果、第２電源の電圧が何らかの原因で異常上昇しても、第２電源の電圧を接続される負荷回路の耐圧以下に引き下げるので、第１電源の状態に関係なく、第２電源に接続される負荷回路の破壊が未然に防止できる。
【００３０】
つぎの発明にかかる電源装置は、上記の発明において、前記監視電圧を前記第１電源の電圧から前記第２電源の電圧に切り替える状態を切替開始時から所定時間保持する手段を、さらに備えたことを特徴とする。
【００３１】
この発明によれば、上記の発明において、監視電圧を第１電圧から第２電圧に切り替える状態が切替開始時から所定時間保持されるので、切替時に生ずるスイッチングノイズや電源に重畳されるノイズの影響を排除することができ、異常動作の発生が防止できる。
【００３２】
つぎの発明にかかる電源装置は、上記の発明において、前記監視電圧を前記第１電源の電圧から前記第２電源の電圧に切り替える動作にヒステリシス特性を付与する手段を、さらに備えたことを特徴とする。
【００３３】
この発明によれば、上記の発明において、監視電圧を第１電圧から第２電圧に切り替える動作がヒステリシス特性を持つので、切替時に生ずるスイッチングノイズや電源に重畳されるノイズの影響を排除することができ、異常動作の発生が防止できる。
【００３４】
つぎの発明にかかる電源装置は、電源からの電圧を制御して第１電源および第２電源として電圧を各々出力可能なものであって、電源制御信号に基づき、当該電源制御信号が第１の状態を示すものであれば、前記第１電源および第２電源の電圧を共に出力するとともに、前記第１電源の電圧を監視電圧として電源電圧を制御し、前記電源制御信号が第２の状態を示すものであれば、前記第１電源の電圧の出力を遮断し第２電源の電圧を出力するとともに、当該第２電源の電圧を監視電圧として電源電圧を制御するレギュレータ手段を備えた電源装置において、規定値を超えて上昇する前記第２電源の電圧を当該第２電源に接続される負荷の耐圧以下にクランプするクランプ手段を備えたことを特徴とする。
【００３５】
この発明によれば、第２電源の電圧が規定値を超えて上昇すると、第２電源の電圧を当該第２電源に接続される負荷の耐圧以下にクランプする。その結果、第２電源の電圧制限が容易に行え、接続される負荷回路の破壊が容易かつ未然に防止できる。
【００３６】
つぎの発明にかかる電源装置は、上記の発明において、前記クランプ手段は、前記第２電源の電圧が規定値を超えて上昇するとき、当該第２電源と前記第１電源の電圧を生成する抵抗分圧回路との間に前記第１電源の電圧を上昇させる電流を供給する電流路を形成することで、前記第２電源の電圧を所定値にクランプする電流路形成手段を備えたことを特徴とする。
【００３７】
この発明によれば、上記の発明において、第２電源の電圧が規定値を超えて上昇すると、第１電源の電圧を上昇させる電流を供給する。その結果、上昇させていた第２電源の電圧を引き下げるように、第２電源の電圧が所定値にクランプされ、接続される負荷回路の破壊が未然に防止できる。さらに、供給する電流は微少電流でよいので、安価な小型部品で構成でき、またＩＣ化を行うこともできる。
【００３８】
つぎの発明にかかる電源装置は、上記の発明において、前記クランプ手段は、前記電流路形成手段の動作によって実現される前記第２電源の電圧が前記基準電圧と前記抵抗分圧回路の抵抗値とによって決定されるように前記電流路形成手段を制御する制御手段を、さらに備えたことを特徴とする。
【００３９】
この発明によれば、上記の発明において、第２電源の電圧は、基準電圧と抵抗分圧回路の抵抗値とによって決定されるように制御される。その結果、第２電源の電圧ばらつきを少なくし、温度依存性を少なくすることができる。
【００４０】
つぎの発明にかかる電源装置は、上記の発明において、規定値を超えて上昇する前記第２電源の電圧を当該第２電源に接続される負荷回路の耐圧以下にクランプするクランプ手段を、さらに備えたことを特徴とする。
【００４１】
この発明によれば、上記の発明において、第１電源の監視結果に基づきレギュレータ回路に与える監視電圧を切り替えて第２電源の電圧上昇の抑制が行えるのに加えて、第１電源の状態とは無関係に生ずる可能性がある第２電源の電圧上昇の抑制が行えるので、一層確実に第２電源に接続される負荷回路の保護が図れる。
【００４２】
【発明の実施の形態】
以下に添付図面を参照して、この発明にかかる電源装置の好適な実施の形態を詳細に説明する。
【００４３】
実施の形態１．
図１は、この発明にかかる電源装置を用いる電子制御機器の一例を示すブロック図である。図１では、車載用の電子制御機器に適用する場合が示されているが、これに限定されるものではない。
【００４４】
図１において、車載用の電子制御機器としては、燃料噴射制御装置（ＥＦＩ）１や、アンチロックブレーキシステム（ＡＢＳ）２、エアバック３など各種あるが、それらは、共通のバッテリ４から電源供給を受けて、それぞれに接続される各種負荷を制御するようになっている。
【００４５】
ここで、ＥＦＩ１は、この発明にかかる電源装置１１を備えている。電源装置１１は、バッテリ４から電源供給を受けてマイクロコンピュータ（ＣＰＵ）１２およびその周辺回路等（以下、単に「ＣＰＵ」という）に対して動作電源を供給する。そのとき、電源装置１１は、電源スイッチとしてのイグニッションスイッチ５からそのＯＮ／ＯＦＦ状態を示す電源制御信号を受けて、イグニッションスイッチ５がＯＮ状態にあるときは、ＣＰＵ１２に対して、同じ値の電圧出力である第１電源と第２電源を供給し、イグニッションスイッチ５がＯＦＦ状態にあるときは、ＣＰＵ１２に対して、第２電源のみを供給するようになっている。
【００４６】
ＣＰＵ１２は、電源装置１１から動作電源の供給を受けて、燃料噴射制御に関わる各種の演算を実行し、ドライバ回路１３を介して燃料噴射制御に関わる回路等の各種負荷を制御する。併せて、ＣＰＵ１２は、その制御動作過程で得られる各種のデータを保存し、その後の制御においてそれらの保存データを用いてアクチュエータのばらつきや経年変化等に対応した適切な制御が行えるようにする学習制御を行うようになっている。この学習制御で用いられるメモリは、半導体メモリである。
【００４７】
すなわち、電源装置１１が生成する第１電源は、燃料噴射制御に関わる回路等に供給され、第２電源は、専ら半導体メモリとその制御回路に供給される。これによって、半導体メモリは、不揮発性メモリとなるので、イグニッションスイッチ５がＯＦＦ状態にあるときでも学習データは保存される。
【００４８】
以上のように用いられるこの発明にかかる電源装置１１は、第１電源の負荷が過負荷になる場合や負荷回路内で短絡事故が起こり第１電源が地絡状態になる場合に生ずる第２電源の電圧上昇を抑制する措置、電源スイッチ（図１に例で言えばイグニッションスイッチ）５の切替時での過渡状態時に生ずる可能性がある第２電源の電圧上昇を抑制する措置等が施されている。以下、この発明にかかる電源装置１１の各実施の形態について説明する。
【００４９】
図２は、この発明の実施の形態１である電源装置の構成を示す回路図である。図２において、直流電源（例えばバッテリ）１０１の正極端は、ＰＮＰトランジスタ１０２のエミッタ電極に接続され、ＰＮＰトランジスタ１０２のコレクタ電極は、トランジスタからなるスイッチング素子であるスイッチＳ１の一端（以下、「入力端」という）と出力端子ＶＯＵＴ１（以下、「第２電源」という）とに接続されている。スイッチＳ１の他端（以下、「出力端」という）は、出力端子ＶＯＵＴ２（以下、「第１電源」という）に接続されている。
【００５０】
スイッチＳ１の出力端と第１電源との接続ラインとグランドとの間には、抵抗素子Ｒ１，Ｒ２の直列回路からなる分圧回路が設けられ、抵抗素子Ｒ１，Ｒ２の接続端は、トランジスタからなるスイッチング素子であるスイッチＳ２を介してエラーアンプ１０３の正相入力端（＋）に接続されている。
【００５１】
また、ＰＮＰトランジスタ１０２のコレクタ電極とスイッチＳ１の入力端との接続ラインとグランドとの間には、抵抗素子Ｒ３，Ｒ４の直列回路からなる分圧回路が設けられ、抵抗素子Ｒ３，Ｒ４の接続端は、トランジスタからなるスイッチング素子であるスイッチＳ３を介してエラーアンプ１０３の正相入力端（＋）に接続されている。
【００５２】
エラーアンプ１０３の逆相入力端（＋）には、基準電源１０４が接続され、エラーアンプ１０３の出力端は、ＰＮＰトランジスタ１０２のベース電極に接続されている。すなわち、ＰＮＰトランジスタ１０２とエラーアンプ１０３は、全体として電源１０１からの電圧を制御して第１電源および第２電源として電圧を各々出力するレギュレータ回路（手段）を構成している。
【００５３】
スイッチＳ１の出力端と第１電源との接続ラインには、異常検出コンパレータ１０５の正相入力端（＋）が接続され、異常検出コンパレータ１０５の逆相入力端（−）には、異常判定電源１０５が接続されている。異常検出コンパレータ１０５の出力端は、ＡＮＤゲート１０７の一方の入力端に接続されている。ここで、異常判定電源１０５の電圧値は、第１電源の規定電圧値よりも低い電圧値に設定されている。
【００５４】
外部から入力される電源制御信号は、スイッチＳ１の制御端に直接印加され、また、ＡＮＤゲート１０７の他方の入力端にも入力されている。この電源制御信号は、当該電源装置を用いる電子制御機器の電源スイッチが投入・遮断されることによって発生する２値のレベル信号である。ここでは、電源制御信号は、電子制御機器の電源スイッチが投入されている（すなわち、第１の状態を示す）場合には、高レベルとなり、遮断されている（すなわち、第２の状態を示す）場合には、低レベルとなるとしている。
【００５５】
ＡＮＤゲート１０７の出力端は、スイッチＳ２の制御端に直接接続されるとともに、インバータ１０８を介してスイッチＳ３の制御端に接続されている。なお、ＰＮＰトランジスタ１０２のコレクタ電極とスイッチＳ１の入力端との接続ラインとグランドとの間には、平滑用の容量素子Ｃ１が設けられている。また、スイッチＳ１の出力端と出力端子ＶＯＵＴ２との接続ラインとグランドとの間には、平滑用の容量素子Ｃ２が設けられている。
【００５６】
次に、以上のように構成される電源装置の動作について説明する。電子制御機器の電源スイッチが遮断されていて、電源制御信号が低レベルであるときは、スイッチＳ１は、開路動作（ＯＦＦ動作）を行う。また、ＡＮＤゲート１０７の出力は、低レベルとなるので、スイッチＳ２も開路動作（ＯＦＦ動作）を行う。一方、スイッチＳ３は、インバータ１０８の出力が高レベルとなるので、閉路動作（ＯＮ動作）を行う。
【００５７】
したがって、エラーアンプ１０３では、抵抗素子Ｒ３，Ｒ４の直列回路からなる分圧回路で得られる電圧（監視電圧）と基準電源１０４の電圧との大小比較に基づく誤差信号をＰＮＰトランジスタ１０２のベース電極に与える。これによって、直流電源１０１の出力電圧から安定化された所定値の電圧が生成され、第２電源のみから出力される。
【００５８】
さて、電子制御機器の電源スイッチが投入されていて、電源制御信号が高レベルであるときは、スイッチＳ１は閉路動作（ＯＮ動作）を行う。第１電源が規定値の電圧を出力するときは、異常検出コンパレータ１０５は出力を高レベルにするので、ＡＮＤゲート１０７の出力は高レベルとなり、スイッチＳ２が閉路動作（ＯＮ動作）を行う。一方、スイッチＳ３は、インバータ１０８の出力が低レベルとなるので、開路動作（ＯＦＦ動作）を行う。
【００５９】
したがって、エラーアンプ１０３では、抵抗素子Ｒ１，Ｒ２の直列回路からなる分圧回路で得られる電圧（監視電圧）と基準電源１０４の電圧との大小比較に基づく誤差信号をＰＮＰトランジスタ１０２のベース電極に与える。これによって、直流電源１０１の出力電圧から安定化された所定値の電圧が生成され、第２電源と第１電源の双方から出力される。
【００６０】
この状態において、第１電源が何らかの原因で規定値以下の電圧しか出力できない状態になり、その電圧が異常判定電源１０６の電圧以下であると、異常検出コンパレータ１０５が出力を低レベルにする。その結果、ＡＮＤゲート１０７の出力が低レベルになり、インバータ１０８の出力が高レベルになるので、スイッチＳ２が開路動作（ＯＦＦ動作）を行い、スイッチＳ３が閉路動作（ＯＮ動作）を行う。
【００６１】
つまり、エラーアンプ１０３では、抵抗素子Ｒ１，Ｒ２の直列回路からなる分圧回路で得られる電圧を監視電圧としていたのが、第１電源で電圧の異常低下があると、抵抗素子Ｒ３，Ｒ４の直列回路からなる分圧回路で得られる電圧を監視電圧とするように切り替えられる。これによって、レギュレータ回路では、第２電源の電圧上昇を抑制し、第２電源の電圧を規定値にする制御動作が行われる。
【００６２】
このように、実施の形態１によれば、第１電源で電圧の異常低下があっても、第２電源の電圧は異常上昇することなく規定値の電圧を出力することができるので、第２電源に接続される負荷回路の破壊が未然に防止できる。
【００６３】
なお、本発明においては、本実施の形態１で示したような第１電源および第２電源、または第２電源のみを切り替えるための切替回路に限定されず、その他の切替回路についても同様に適用することができ、さらに、本実施の形態１で示した回路構成およびＯＮ／ＯＦＦ理論も図示のものに限定されず、例えば、第２電源にもスイッチＳ１と同様のスイッチを設け、これら二つのスイッチで電源を切り替えるなども可能である。
【００６４】
実施の形態２．
図３は、この発明の実施の形態２である電源装置の構成を示す回路図である。なお、図３では、図２に示した構成と同一ないしは同等である構成要素には、同一の符号が付されている。ここでは、この実施の形態２に関わる部分を中心に説明する。
【００６５】
図３に示すように、実施の形態２では、実施の形態１（図２）に示した構成において、異常検出コンパレータ１０５に代えて、第１電源から負荷側に流れ出す負荷電流を検出する電流検出回路２０１が設けられている。
【００６６】
電流検出回路２０１は、検出した負荷電流が予め定めた電流値を超えないときは、ＡＮＤゲート１０７への出力を高レベルに維持するが、検出した負荷電流が予め定めた電流値を超えるときに、ＡＮＤゲート１０７への出力を低レベルにする。
【００６７】
電流検出回路２０１は、例えば図３に示すように、スイッチＳ１の出力端と第１電源との接続ラインにモニタ用の抵抗素子２０２を介在させ、モニタ用の抵抗素子２０２の両端電圧を差動アンプを用いて検出する構成とすることができる。勿論、その他、例えばセンスＭＯＳやホール素子などの専用の電流検出素子も用いることができる。
【００６８】
この構成によれば、電源制御信号が高レベルであるときに、第１電源で電圧の異常低下を示す負荷電流の異常増大が発生すると、レギュレータ回路に与える監視電圧を、抵抗素子Ｒ１，Ｒ２の直列回路からなる分圧回路で得られる電圧から抵抗素子Ｒ３，Ｒ４の直列回路からなる分圧回路で得られる電圧に切り替えることができる。つまり、実施の形態１にて説明した動作が同様に行われる。
【００６９】
したがって、実施の形態２によれば、実施の形態１と同様に、第１電源で電圧の異常低下があっても、第２電源の電圧は異常上昇することなく規定値の電圧を出力することができるので、第２電源に接続される負荷回路の破壊が未然に防止できる。このとき、実施の形態２では、異常を検出する電流値を細かく設定できるので、異常判断の確実性を実施の形態１よりも向上させることができる。
【００７０】
実施の形態３．
図４は、この発明の実施の形態３である電源装置の構成を示す回路図である。なお、図４では、図２に示した構成と同一ないしは同等である構成要素には、同一の符号が付されている。ここでは、この実施の形態３に関わる部分を中心に説明する。
【００７１】
図４に示すように、実施の形態３では、実施の形態１（図２）に示した構成において、異常検出コンパレータ１０５に代えて、第１電源と第２電源の電圧差をモニタする差動アンプ構成の電圧検出回路３０１が設けられている。
【００７２】
電圧検出回路３０１は、検出した電圧差が予め定めた電圧値を超えないときは、ＡＮＤゲート１０７への出力を高レベルに維持するが、検出した電圧差が予め定めた電圧値を超えるときに、ＡＮＤゲート１０７への出力を低レベルにする。なお、第１電源と第２電源の電圧差を検出するので、第２電源の精度は、異常判定のレベルに影響を与えない。
【００７３】
この構成によれば、電源制御信号が高レベルであるときに、第１電源で電圧の異常低下が発生し第１電源と第２電源の電圧差が所定値を超えると、レギュレータ回路に与える監視電圧を、抵抗素子Ｒ１，Ｒ２の直列回路からなる分圧回路で得られる電圧から抵抗素子Ｒ３，Ｒ４の直列回路からなる分圧回路で得られる電圧に切り替えることができる。つまり、実施の形態１にて説明した動作が同様に行われる。
【００７４】
したがって、実施の形態３によれば、実施の形態１と同様に、第１電源で電圧の異常低下があっても、第２電源の電圧は異常上昇することなく規定値の電圧を出力することができるので、第２電源に接続される負荷回路の破壊が未然に防止できる。さらに、第２電源からの差電圧をモニタして負荷の異常を判断するので、異常判定レベルを第２電源の精度と無関係にすることができる。
【００７５】
実施の形態４．
図５は、この発明の実施の形態４である電源装置の構成を示す回路図である。なお、図５では、図２に示した構成と同一ないしは同等である構成要素には、同一の符号が付されている。ここでは、この実施の形態４に関わる部分を中心に説明する。
【００７６】
図５に示すように、実施の形態４では、実施の形態１（図２）に示した構成において、異常検出コンパレータ１０５とＡＮＤゲート１０７との間にｔ時間ラッチ回路４０１が設けられている。
【００７７】
ｔ時間ラッチ回路４０１は、異常検出コンパレータ１０５が出力を高レベルにしているときは、異常検出コンパレータ１０５の出力をそのままＡＮＤゲート１０７に出力するが、異常検出コンパレータ１０５が出力を低レベルにすると、異常検出コンパレータ１０５の出力を任意時間ｔだけラッチしてＡＮＤゲート１０７に出力する。
【００７８】
この構成によれば、電源制御信号が高レベルであるときに、第１電源で電圧の異常低下が発生し、異常検出コンパレータ１０５が出力を低レベルにすると、ＡＮＤゲート１０７が任意時間ｔだけ出力を低レベルに維持し続ける。つまり、レギュレータ回路に与える監視電圧を、抵抗素子Ｒ１，Ｒ２の直列回路からなる分圧回路で得られる電圧から抵抗素子Ｒ３，Ｒ４の直列回路からなる分圧回路で得られる電圧に切り替える信号が、切替開始時から任意時間ｔの期間内継続して出力される。
【００７９】
レギュレータ回路では、与える監視電圧の切替タイミングにおいて、スイッチＳ２とスイッチＳ３が切り替わるときのスイッチングノイズや、電源に重畳されているノイズが入力されると、出力電圧を過渡的に上昇させるなどの異常動作を発生する可能性がある。
【００８０】
これに対し、実施の形態４によれば、レギュレータ回路に与える監視電圧を切り替えるときにその切替状態をある期間維持するので、切替タイミングでのスイッチングノイズ等の影響が排除できる。したがって、上記した切り替えタイミング時に発生する可能性のある異常動作が防止でき、耐ノイズ性を向上させることができる。なお、実施の形態４では、実施の形態１への適用例を示したが、実施の形態２，３にも同様に適用できることは勿論である。
【００８１】
実施の形態５．
図６は、この発明の実施の形態５である電源装置の構成を示す回路図である。なお、図６では、図２に示した構成と同一ないしは同等である構成要素には、同一の符号が付されている。ここでは、この実施の形態５に関わる部分を中心に説明する。
【００８２】
図６に示すように、実施の形態５では、実施の形態１（図２）に示した構成における異常検出コンパレータ１０５とＡＮＤゲート１０７とを省略し、電源制御信号がスイッチＳ１，Ｓ２の制御端とインバータ１０８とに直接入力されるようにした状態において、ＰＮＰトランジスタ１０２のコレクタ電極とスイッチＳ１の入力端との接続ラインに、電圧制限回路５０１が設けられている。
【００８３】
電圧制限回路５０１は、第２電源の電圧が接続される負荷回路の耐圧以上に上昇しないように制限を加える回路である。図７は、電圧制限回路５０１の構成例を示す回路図である。図７に示すように、電圧制限回路５０１は、例えば、ツェナーダイオード６０１によって構成することができる。ツェナーダイオード６０１には、接続される負荷の耐圧以下のツェナー電圧を持つものが用いられる。
【００８４】
以上の構成において、電子制御機器の電源スイッチが投入されていて、電源制御信号が高レベルであるときは、スイッチＳ１，Ｓ２は閉路動作（ＯＮ動作）を行う。一方、スイッチＳ３は、インバータ１０８の出力が低レベルとなるので、開路動作（ＯＦＦ動作）を行う。
【００８５】
したがって、エラーアンプ１０３では、抵抗素子Ｒ１，Ｒ２の直列回路からなる分圧回路で得られる電圧（監視電圧）と基準電源１０４の電圧との大小比較に基づく誤差信号をＰＮＰトランジスタ１０２のベース電極に与える。これによって、直流電源１０１の出力電圧から生成され、安定化された所定値の電圧が出力端子ＯＵＴ１と出力端子ＯＵＴ２の双方から出力される。
【００８６】
この状態において、第１電源が何らかの原因で規定値以下の電圧しか出力できない状態になるなどによって、第２電源の電圧が上昇し、第２電源の電圧がツェナーダイオード６０１のツェナー電圧を超えると、ツェナーダイオード６０１がＯＮ動作するので、第２電源の電圧は、上昇が抑制され、ツェナーダイオード６０１のツェナー電圧にクランプされる。
【００８７】
このように、実施の形態５によれば、ツェナーダイオード６０１には、電圧制限時にかなりの電流が流れるので、大型部品化する難点はあるが、第２電源の電圧制限が容易に行えるので、接続される負荷回路の破壊が容易かつ未然に防止できる。
【００８８】
実施の形態６．
図８は、この発明の実施の形態６である電源装置の構成を示す回路図である。なお、図８では、図６に示した構成と同一ないしは同等である構成要素には、同一の符号が付されている。ここでは、この実施の形態６に関わる部分を中心に説明する。
【００８９】
図８に示すように、実施の形態６では、実施の形態５（図６）に示した構成において、電圧制限回路５０１に代えて、クランプ回路７０１が設けられている。クランプ回路７０１は、例えば、ＮＰＮトランジスタ７１１と、ＮＰＮトランジスタ７１１のバイアス回路を構成する抵抗素子（抵抗値ＲＣ１）７１２，抵抗素子（抵抗値ＲＣ２）７１３の直列回路とによって構成されている。
【００９０】
ＮＰＮトランジスタ７１１は、コレクタ電極がＰＮＰトランジスタ１０２のコレクタ電極とスイッチＳ１の入力端との接続ラインに接続され、エミッタ電極が第１電源の監視電圧を発生する抵抗素子Ｒ１，Ｒ２の接続端Ａに接続されている。
【００９１】
抵抗素子７１２は、ＮＰＮトランジスタ７１１のベース電極とコレクタ電極との間に設けられ、抵抗素子７１３は、ＮＰＮトランジスタ７１１のベース電極とグランドとの間に設けられている。抵抗素子７１２，７１３の抵抗値ＲＣ１，ＲＣ２は、第２電源の電圧が規定値以上の所定値になると、ＮＰＮトランジスタ７１１をＯＮ動作させるベースバイアス電圧を発生するように定められている。
【００９２】
以上の構成において、電子制御機器の電源スイッチが投入されていて、電源制御信号が高レベルであるときは、スイッチＳ１，Ｓ２は閉路動作（ＯＮ動作）を行う。一方、スイッチＳ３は、インバータ１０８の出力が低レベルとなるので、開路動作（ＯＦＦ動作）を行う。
【００９３】
したがって、エラーアンプ１０３では、抵抗素子Ｒ１，Ｒ２の接続端Ａに得られる監視電圧と基準電源１０４の電圧との大小比較に基づく誤差信号をＰＮＰトランジスタ１０２のベース電極に与える。これによって、直流電源１０１の出力電圧から安定化された所定値の電圧が生成され、第２電源と第１電源の双方から出力される。
【００９４】
この状態において、第１電源が何らかの原因で規定値以下の電圧しか出力できない状態であると、エラーアンプ１０３では、接続端Ａに得られる監視電圧と基準電源１０４の電圧との差が大きくなるので、その差電圧を小さくするようにＰＮＰトランジスタ１０２を制御する。その結果、第２電源の電圧が上昇する。
【００９５】
すると、クランプ回路７０１では、第２電源の電圧が規定値以上の所定値になると、ＮＰＮトランジスタ７１１は、ベース電極にバイアス回路（抵抗素子７１２，７１３の直列回路）からＯＮ動作するのに必要なベースバイアス電圧が供給されて、ＯＮ動作を行う。
【００９６】
その結果、ＮＰＮトランジスタ７１１から抵抗素子Ｒ１，Ｒ２の接続端Ａに電流が供給されるので、低下していた接続端Ａの電位が上昇し、基準電源１０４の電圧との差が小さくなる方向に移行する。
【００９７】
したがって、エラーアンプ１０３では、上昇させていた第２電源の電圧を引き下げるように、ＰＮＰトランジスタ１０２を制御するようになるので、第２電源の電圧が所定値にクランプされることになる。
【００９８】
このときに得られる第２電源の電圧Ｖｍａｘは、基準電源１０４の電圧をＶｒｅｆ、ＮＰＮトランジスタ７１１のベース・エミッタ間電圧をＶｂｅとすると、
Ｖｍａｘ＝（Ｖｒｅｆ＋Ｖｂｅ）×｛（ＲＣ１／ＲＣ２）＋１｝  ・・・（１）
となる。
【００９９】
具体的に、Ｖｒｅｆ＝１．２５Ｖ、Ｖｂｅ＝１．７５Ｖ、ＲＣ１＝５０ｋΩ、ＲＣ２＝２５ｋΩなる数値を適用すると、Ｖｍａｘ＝５．８５Ｖとなる。すなわち、第２電源の電圧は、接続される負荷回路の耐圧を超えない程度の所定値にクランプされることが解る。
【０１００】
このように、実施の形態６によれば、クランプ回路７０１を流れる電流は微少電流でよいので、クランプ回路７０１は、安価な小型部品で構成でき、またＩＣ化が行える。なお、クランプ回路７０１の構成は、図８に示した構成に限定されないことは言うまでもない。
【０１０１】
実施の形態７．
図９は、この発明の実施の形態７である電源装置の構成を示す回路図である。なお、図９では、図８に示した構成と同一ないしは同等である構成要素には、同一の符号が付されている。ここでは、この実施の形態７に関わる部分を中心に説明する。
【０１０２】
図９に示すように、実施の形態７では、実施の形態６（図８）に示した構成において、クランプ回路７０１に代えて、クランプ回路８０１が設けられている。クランプ回路８０１では、ＮＰＮトランジスタ７１１のベース電極とバイアス回路（抵抗素子７１２，７１３の直列回路）との間にＰＮＰトランジスタ８１１が追加されている。
【０１０３】
すなわち、ＰＮＰトランジスタ８１１のエミッタ電極は、ＮＰＮトランジスタ７１１のベース電極とコレクタ電極とに接続され、コレクタ電極は、グランドに接続され、ベース電極は、抵抗素子７１２，７１３の接続端に接続されている。
【０１０４】
実施の形態６（図８）に示したクランプ回路７０１にて得られる第２電源の電圧Ｖｍａｘは、式（１）に示されるように、ＮＰＮトランジスタ７１１のベース・エミッタ間電圧Ｖｂｅも含んで決定される。しかし、ベース・エミッタ間電圧Ｖｂｅは、絶対精度に例えば±０．２Ｖ程度のばらつきがあり、また例えば−２ｍＶ／℃程度の温度依存性があるので、クランプレベル（Ｖｍａｘ）の絶対精度が悪く、温度依存性が大きい。
【０１０５】
そこで、実施の形態７によるクランプ回路８０１では、ＰＮＰトランジスタ８１１に式（１）からＮＰＮトランジスタ７１１のベース・エミッタ間電圧Ｖｂｅを排除する動作を行わせるようにしている。
【０１０６】
すなわち、クランプ回路８０１では、第２電源の電圧が上昇すると、まず、ＮＰＮトランジスタ７１１がＯＮ動作を行い、接続端Ａに電流を供給する。これによって、上昇傾向にあった第２電源の電圧が降下し所定値になると、ＰＮＰトランジスタ８１１がＯＮ動作を行い、ＮＰＮトランジスタ７１１のベース電位を所定値に安定させる。
【０１０７】
その結果、クランプ回路８０１にて得られる第２電源の電圧Ｖｍａｘは、式（２）に示すように、ベース・エミッタ間電圧Ｖｂｅを含まない式で表される。    Ｖｍａｘ＝（Ｖｒｅｆ）×｛（ＲＣ１／ＲＣ２）＋１｝  ・・・（２）
【０１０８】
このように、実施の形態７によれば、第２電源のクランプ電圧の絶対精度を良好に保ち、また温度依存性が少なくすることができる。なお、クランプ回路８０１の構成は、図９に示す構成に限定されないことは言うまでもない。
【０１０９】
実施の形態８．
図１０は、この発明の実施の形態８である電源装置の構成を示す回路図である。なお、図１０では、図２に示した構成と同一ないしは同等である構成要素には、同一の符号が付されている。ここでは、この実施の形態８に関わる部分を中心に説明する。
【０１１０】
図１０に示すように、実施の形態８では、実施の形態１（図２）に示した構成において、異常検出コンパレータ１０５に代えて、異常検出コンパレータ９０１が設けられている。
【０１１１】
異常検出コンパレータ９０１は、逆相入力端（−）にスイッチＳ１の入力端と第２電源との接続ラインが接続され、正相入力端（＋）に異常判定電源９０２が接続されている。ここで、異常判定電源９０２の電圧は、第２電源が規定電圧値から上昇したときのその上限値付近に設定されている。
【０１１２】
そして、異常検出コンパレータ９０１の出力端とＡＮＤゲート１０７の一方の入力端との間には、ラッチ回路９０３が設けられている。ラッチ回路９０３は、異常検出コンパレータ９０１が出力を高レベルにしているときは、異常検出コンパレータ９０１の出力をそのままＡＮＤゲート１０７に出力するが、異常検出コンパレータ９０１が出力を低レベルにすると、異常検出コンパレータ９０１の出力を外部からラッチ解除信号が入力されるまでラッチし、ＡＮＤゲート１０７に出力する。なお、ラッチ解除信号としては、例えば、特定の周期で発生する信号を用いてもよく、また電源制御信号をそのまま用いてもよい。
【０１１３】
以上の構成において、電子制御機器の電源スイッチが投入されていて、電源制御信号が高レベルであるときは、スイッチＳ１は閉路動作（ＯＮ動作）を行う。第２電源が規定値の電圧を出力するときは、異常検出コンパレータ９０１は出力を高レベルにするので、ラッチ回路９０３は異常検出コンパレータ９０１の出力（高レベル）をそのままＡＮＤゲート１０７に伝える。ＡＮＤゲート１０７の出力は、高レベルとなり、スイッチＳ２が閉路動作（ＯＮ動作）を行う。一方、スイッチＳ３は、インバータ１０８の出力が低レベルとなるので、開路動作（ＯＦＦ動作）を行う。
【０１１４】
したがって、エラーアンプ１０３では、抵抗素子Ｒ１，Ｒ２の直列回路からなる分圧回路で得られる電圧（監視電圧）と基準電源１０４の電圧との大小比較に基づく誤差信号をＰＮＰトランジスタ１０２のベース電極に与える。これによって、直流電源１０１の出力電圧から安定化された所定値の電圧が生成され、第２電源と第１電源の双方から出力される。
【０１１５】
この状態において、第２電源の電圧が規定値から上昇し、その電圧が異常判定電源９０２の電圧以上になると、異常検出コンパレータ９０１が出力を低レベルにする。ラッチ回路９０３は異常検出コンパレータ９０１の出力（低レベル）をラッチしてＡＮＤゲート１０７に出力する。このラッチ出力は、ラッチ解除信号が入力されるまで維持されるので、ＡＮＤゲート１０７は出力を低レベルに維持し続ける。
【０１１６】
これによって、スイッチＳ２が開路動作（ＯＦＦ動作）を行う。また、インバータ１０８の出力が高レベルになるので、スイッチＳ３が閉路動作（ＯＮ動作）を行う。
【０１１７】
つまり、エラーアンプ１０３では、抵抗素子Ｒ１，Ｒ２の直列回路からなる分圧回路で得られる電圧を監視電圧としていたのが、第２電源で電圧の異常上昇があると、抵抗素子Ｒ３，Ｒ４の直列回路からなる分圧回路で得られる電圧を監視電圧とするように切り替えられる。これによって、レギュレータ回路では、第２電源の電圧を規定値にする制御動作が行われる。
【０１１８】
このように、実施の形態８によれば、第２電源の電圧が何らかの原因で異常上昇すると、第２電源の電圧を接続される負荷回路の耐圧以下に引き下げることができるので、第１電源の状態に関係なく、第２電源に接続される負荷回路の破壊が未然に防止できる。
【０１１９】
また、エラーアンプ１０３の監視電圧を切り替えるときにその切替状態を維持するので、実施の形態４と同様に、スイッチＳ２とスイッチＳ３が切り替わるときのスイッチングノイズや、電源に重畳されているノイズによって、切り替えタイミング時に発生する可能性のある異常動作が防止でき、耐ノイズ性を向上させることができる。換言すれば、ラッチ回路９０３は、省略可能である。
【０１２０】
ここで、この発明は、以上説明した実施の形態に限定されるものではなく、当業者ならば行うであろう各種の変形を含むものである。例えば、実施の形態４の変形例として、レギュレータ回路に与える監視電圧を切り替える動作がヒステリシス特性を持つようにすることが考えられる。これによっても同様にノイズ耐性が向上する。
【０１２１】
また、第１電源のモニタ結果に基づきレギュレータ回路に与える監視電圧を切り替える実施の形態１〜４と、第２電源の電圧上昇を抑制して所定値にクランプする実施の形態５〜７とを組み合わせる構成が考えられる。これによれば、第１電源の電圧低下異常に基づかない第２電源の電圧上昇、例えばスイッチＳ１の切替時に過渡的に生ずる可能性のある第２電源の電圧上昇を抑制することができるので、第２電源に接続される負荷回路の保護が一層確実に行えるようになる。
【０１２２】
なお、第１電源を常時監視するだけでなく、電源制御信号が高レベルになった時（すなわち、スイッチＳ１がＯＮになった時）に第１電源の監視を開始するようにしてもよい。
【０１２３】
【発明の効果】
以上説明したように、この発明によれば、第１電源が何らの原因で規定値以下の電圧しか出力できない状態となっても、第２電源では電圧の異常上昇が生じないようにすることができるので、第２電源に接続される負荷回路の破壊が防止できる。
【図面の簡単な説明】
【図１】この発明にかかる電源装置を用いる電子制御機器の一例を示すブロック図である。
【図２】この発明の実施の形態１である電源装置の構成を示す回路図である。
【図３】この発明の実施の形態２である電源装置の構成を示す回路図である。
【図４】この発明の実施の形態３である電源装置の構成を示す回路図である。
【図５】この発明の実施の形態４である電源装置の構成を示す回路図である。
【図６】この発明の実施の形態５である電源装置の構成を示す回路図である。
【図７】図６に示す電圧制限回路の構成例を示す回路図である。
【図８】この発明の実施の形態６である電源装置の構成を示す回路図である。
【図９】この発明の実施の形態７である電源装置の構成を示す回路図である。
【図１０】この発明の実施の形態８である電源装置の構成を示す回路図である。
【図１１】従来の２つの電源出力を持つ電源装置の構成例を示す回路図である。
【図１２】図１１に示す電源装置において第１電源が地絡状態になった場合の動作を示すタイムチャートである。
【符号の説明】
１０１  直流電源
１０２  ＰＮＰトランジスタ
１０３  エラーアンプ
１０４  基準電源
１０５，９０１  異常検出コンパレータ
１０６，９０２  異常判定電源
１０７  ＡＮＤゲート
１０８  インバータ
２０１  電流検出回路
２０２  モニタ用の抵抗素子
３０１  電圧検出回路
４０１  ｔ時間ラッチ回路
５０１  電圧制限回路
６０１  ツェナーダイオード
７０１，８０１  クランプ回路
９０３  ラッチ回路
ＶＯＵＴ１  出力端子（第２電源）
ＶＯＵＴ２  出力端子（第１電源）
Ｓ１，Ｓ２，Ｓ３  スイッチ（スイッチング素子）
Ｒ１〜Ｒ４  抵抗素子
【図１】
2004152112.tif 000003
【図２】
2004152112.tif 000004
【図３】
2004152112.tif 000005
【図４】
2004152112.tif 000006
【図５】
2004152112.tif 000007
【図６】
2004152112.tif 000008
【図７】
2004152112.tif 000009
【図８】
2004152112.tif 000010
【図９】
2004152112.tif 000011
【図１０】
2004152112.tif 000012
【図１１】
2004152112.tif 000013
【図１２】
2004152112.tif 000014